(57)【要約】【課題】  現在稼動中のかご位置表示装置が故障する前にかご位置表示装置を交換可能とすることで、エレベーター利用者に対する利便性を向上する。【解決手段】  多階床間をサービスするエレベーターと、エレベーターを制御するエレベーター制御装置１と、エレベーターの乗りかご内に設置され、エレベーター制御装置１からエレベーターの運転情報を受信し、現在階床位置と運転方向とを表示するかご位置表示装置６１と、を有するかご位置表示装置付きエレベーターにおいて、かご位置表示装置６１の光源となるバックライトと、かご位置表示装置の内部に実装され、バックライトの照度を測定する照度計８と、を備え、バックライトの照度が所定値以下の場合、かご位置表示装置１の異常と判定する。【選択図】図２
2009102114.tif 000002
【特許請求の範囲】
【請求項１】
多階床間をサービスするエレベーターと、前記エレベーターを制御するエレベーター制御装置と、前記エレベーターの乗りかご内に設置され、前記エレベーター制御装置からエレベーターの運転情報を受信し、現在階床位置と運転方向とを表示するかご位置表示装置と、を有するかご位置表示装置付きエレベーターにおいて、
前記かご位置表示装置の光源となるバックライトと、
前記かご位置表示装置の内部に実装され、前記バックライトの照度を測定する照度計と、
を備え、前記バックライトの照度が所定値以下の場合、前記かご位置表示装置の異常と判定することを特徴とするかご位置表示装置付きエレベーター。
【請求項２】
請求項１に記載のものにおいて、前記バックライトが点灯している累計時間を記録し、前記累計時間が所定時間を超えたかを判定することを特徴とするかご位置表示装置付きエレベーター。
【請求項３】
請求項１に記載のものにおいて、前記かご位置表示装置に電源を供給する電源供給装置と、該電源供給装置の内部に実装され電源電流を測定する電流計と、を備え、前記電流計による測定値が所定電流以下であるかを判定することを特徴とするかご位置表示装置付きエレベーター。
【請求項４】
請求項１に記載のものにおいて、前記かご位置表示装置に電源を供給する電源供給装置と、該電源供給装置の内部に実装され電源電流を測定する電流計と、を備え、前記電流計による測定値が定格電流より所定以上の誤差があるかを判定することを特徴とするかご位置表示装置付きエレベーター。
【請求項５】
請求項１に記載のものにおいて、前記エレベーターを遠隔監視する遠隔監視センターを備え、前記バックライトの照度が異常と判定された場合、そのことを前記遠隔監視センターへ送信することを特徴とするかご位置表示装置付きエレベーター。
【発明の詳細な説明】
【技術分野】
【０００１】
本発明はかご内に設置されるかご位置表示装置を備えたエレベーターに関し、特に故障時期の予測や故障時の遠隔発報を行うものに好適である。
【背景技術】
【０００２】
液晶モニタの電源電圧と照度に基づいて液晶モニタの故障を検知するため、総電流から得る検出電圧と基準電圧生成回路から得る基準電圧を比較して異常を検出することが知られ、特許文献１に記載されている。
【０００３】
また、特許文献２には、発光装置の輝度を調整するために発光装置が消灯している間に周囲の照度に対応する照度信号を検出する照度検出センサを備えることが記載されている。
【０００４】
さらに、特許文献３には、検出した故障累積回数が所定回数以上である場合、電源制御手段により電源投入禁止状態とすることが記載されている。
【０００５】
さらに、特許文献４には、バックライト点灯信号が有効になっているとき、光センサがバックライトの発光していないことを検出すると、バックライトの故障と判断し、バックライト故障インジケータを有効にして、バックライトが故障したことを報知することが記載されている。
【０００６】
【特許文献１】特開２００２−１４１１８６号公報
【特許文献２】特開２００３−２１８２１号公報
【特許文献３】特開２００２−３４１８３８号公報
【特許文献４】特開平１０−３１９８６５号公報
【発明の開示】
【発明が解決しようとする課題】
【０００７】
上記従来技術においては、いずれも完全に故障してから報知するものであり、故障時にバックアップ用のインジケータが働くようになっているが、バックアップ用のインジケータを設置しておくことが必須である。
【０００８】
本発明の目的は、現在稼動中のかご位置表示装置が故障する前に事前予測し、故障前にかご位置表示装置を交換可能とすることで、エレベーター利用者に対する利便性を向上することにある。
【課題を解決するための手段】
【０００９】
上記目的を達するために、本発明は、多階床間をサービスするエレベーターと、前記エレベーターを制御するエレベーター制御装置と、前記エレベーターの乗りかご内に設置され、前記エレベーター制御装置からエレベーターの運転情報を受信し、現在階床位置と運転方向とを表示するかご位置表示装置と、を有するかご位置表示装置付きエレベーターにおいて、前記かご位置表示装置の光源となるバックライトと、前記かご位置表示装置の内部に実装され、前記バックライトの照度を測定する照度計と、を備え、前記バックライトの照度が所定値以下の場合、前記かご位置表示装置の異常と判定するものである。
【発明の効果】
【００１０】
本発明によれば、バックライトを光源とするかご位置表示装置に対して照度計により、輝度が落ちてきたことを判断するので、かご位置表示装置が故障する前に交換等の必要性が分かる。したがって、故障している間エレベーターが利用できない、と言うことがなく、利便性を向上することができる。
【発明を実施するための最良の形態】
【００１１】
以下、図１を参照して一実施の形態を詳細に説明する。
【００１２】
図１は、エレベーター装置の全体構成図であり、１はエレベーター制御装置、２は群管理制御装置、３１〜３３はエレベーター１〜３号機の号機制御装置である。４１〜４３は、１〜３号機のエレベーター乗りかごである。５１〜５３は行先階登録装置、６１〜６３はかご位置表示装置である。８１，８２は各階床乗場の各号機共通の乗場呼び釦、９１〜９６はそれぞれ１〜３号機の乗場に設けられサービスエレベータを案内するためのホールランタン（予約灯とも呼ぶ）である。
【００１３】
図１において、エレベーター機械室にあるエレベーター制御装置１は群管理制御装置２と複数の号機制御装置３１〜３３から構成されている。エレベーターの乗りかご４１〜４３には、かご呼び釦（行先階登録装置）５１〜５３が設けられており、行先階登録装置５１〜５３の信号は号機制御装置３１〜３３へそれぞれ入力される。
【００１４】
各階の乗場、例えば１階乗場には乗場呼び釦８１が設けられており、これらは群管理制御装置２から直接に信号の入力（又は出力）を行う。乗りかご４１内に設置のかご位置表示装置６１も群管理制御装置２から直接、信号を入力している。他の乗場案内装置であるホールランタン９１と９４は、号機制御装置３１を介して群管理制御装置２との間で信号を入出力する。なお、同一階に車いす専用乗場呼びや台車利用乗場呼び、地下駐車場専用乗場呼びを設置しても良い。
【００１５】
群管理制御装置２は、乗場呼び釦８１，８２からの信号、各号機制御装置３１〜３３から通信で送られてくるエレベーターの位置，方向，かご呼びの状況，かご内の混雑度信号などを加味して新たに発生した乗場呼びに対して上記エレベーター中の１台のいずれかのかごに割当て、該当する号機制御装置３１〜３３に割当信号を送出する。号機制御装置３１〜３３はエレベーターの走行制御，戸開閉制御等の号機に独立した制御を行い群管理制御装置２へ出力する。また、群管理制御装置２からの割当信号によりホールランタン９１〜９３を制御し待ち客に対して案内表示を行う。
【００１６】
図２において、３はエレベーター保守会社、４はエレベーター遠隔監視装置、５は故障検出装置、６は電源供給装置、７は電流計、８は照度計、３１は号機制御装置、６１はかご位置表示装置である。
【００１７】
故障検出装置５は、バックライトを光源として表示を行うかご位置表示装置６１の内部に実装され、バックライトの照度を計測する照度計８からのバックライト照度信号と、かご位置表示装置６１に電源を供給する電源供給装置６の内部に実装され、電源電流を測定する電流計７からの消費電流値信号とを監視する。
【００１８】
故障検出装置５で、バックライト照度信号もしくは消費電流値信号に異常を検出すると、号機制御装置３１にかご位置制御装置が異常である信号を伝送する。号機制御装置３１で、かご位置制御装置の異常信号を受信した場合には、エレベーター遠隔監視装置４を経由して、遠隔地にあるエレベーター保守会社３に送信して連絡される。これにより、エレベーター保守会社３では、かご位置表示装置６１のバックライトが劣化してきたことが分かるため、故障する前に交換することが可能となる。
【００１９】
図３は、かご位置表示装置の異常検出処理を説明するフローチャートである。
【００２０】
ｓ３００の処理にて、照度計からのバックライト照度信号を受信して、バックライトが点灯していた累計時間を記録する。ｓ３０５の処理にて、照度計からのバックライト照度信号を受信し、ｓ３１０の処理にて、照度が“０”であるかを判定し、“０”でない場合にはｓ３１５の処理へ進み、“０”である場合にはｓ３２０の処理へ進み照度故障検知フラグをＯＮしｓ３３５の処理へ進む。
【００２１】
ｓ３１５の処理では、照度が所定値以下であるかを判定し、所定値以下でない場合にはｓ３２５の処理に進み、所定値以下である場合には、ｓ３３０の処理へ進み照度故障予測フラグをＯＮしｓ３３５の処理へ進む。ｓ３２５の処理では、ｓ３００の処理で記録したバックライト点灯累計時間が所定時間を超えたかを判定し、超えていない場合にはｓ３３５の処理へ進み、超えている場合にはｓ３３０の処理へ進み照度故障予測フラグをＯＮしｓ３３５の処理へ進む。
【００２２】
ｓ３３５の処理では、電源供給装置の電流計からの消費電流値信号を受信し、ｓ３４０の処理にて、所定電流以下であるかを判定し、所定電流以下である場合には、ｓ３４５の処理へ進み、所定電流以下でない場合には、ｓ３５０の処理へ進み電源故障検知フラグをＯＮしｓ３６０の処理へ進む。
【００２３】
ｓ３４５の処理では、消費電流値が定格電流よりｘ％以上の誤差があるかを判定し、誤差がない場合には、ｓ３６０の処理へ進み、誤差がある場合には、ｓ３５５の処理へ進み電源故障予測フラグをＯＮしｓ３６０の処理へ進む。ｓ３６０の処理では、照度故障検知フラグと、照度故障予測フラグと、電源故障検知フラグと、電源故障予測フラグをエレベーター制御装置に伝送し、本フローチャート処理を終了する。本フローチャート処理は、故障の検知および予測を行うことに支障のない周期で定期的に起動される。
【図面の簡単な説明】
【００２４】
【図１】本発明の一実施例によるエレベーター装置の全体構成を示すブロック図。
【図２】一実施例によるかご位置表示装置の異常検出システムを示すブロック図。
【図３】一実施例による故障検出を示すフローチャート。
【符号の説明】
【００２５】
１  エレベーター制御装置
２  群管理制御装置
３  エレベーター保守会社
４  エレベーター遠隔監視装置
５  故障検出装置
６  電源供給装置
７  電流計
８  照度計
３１〜３３  号機制御装置
４１〜４３  乗りかご
５１〜５３  行先階登録装置
５１−１  タッチパネル方式行先階登録装置
５１−２  押しボタン方式行先階登録装置
６１〜６３  かご位置表示装置
６１−１  ＬＣＤタイプのかご位置表示装置
６１−２  ＬＥＤタイプのかご位置表示装置
８１，８２  乗場呼び釦
９１〜９３  ホールランタン（予約灯）
【図１】
2009102114.tif 000003
【図２】
2009102114.tif 000004
【図３】
2009102114.tif 000005